(57)【要約】【課題】従来の技術による諸問題を解決するため、別々のモードで伝送されるメディアファイルデータを一括して管理するメディアファイル管理方法及びメディア再生装置を提供する。【解決手段】メディアファイル管理方法は、メディアファイルを受信し、いかなる伝送モードで受信されたかにかかわらず、メディアファイルからメディア情報を取り出し、メディア情報に基づきメディアファイルに対応するメディア情報記録表を変更するステップを含む。【選択図】図１
2007249155.tif 000002
【特許請求の範囲】
【請求項１】
別々の伝送モードで受信されたメディアファイルを管理する方法であって、
メディアファイルを受信し、
いかなる伝送モードで受信されたかにかかわらず、メディアファイルからメディア情報を取り出し、
メディア情報に基づきメディアファイルに対応するメディア情報記録表を変更するステップを含むことを特徴とするメディアファイル管理方法。
【請求項２】
前記メディアファイル管理方法は更に、
メディア情報記録表に基づきメディアファイルを再生するステップを含むことを特徴とする請求項１記載のメディアファイル管理方法。
【請求項３】
前記伝送モードはＭＳＣ（大容量記憶制御）モードを含むことを特徴とする請求項１記載のメディアファイル管理方法。
【請求項４】
前記伝送モードはＭＴＰ（メディアトランスファープロトコル）モードを含むことを特徴とする請求項１記載のメディアファイル管理方法。
【請求項５】
前記メディアフィル管理方法は更に、
既に保存された複数のファイルを走査し、
既に保存された複数のファイルのうち特定のメディアファイルがメディア情報記録表に記入されていないとき、特定メディアファイルのメディア情報を取り出しメディア情報記録表を変更するステップを含むことを特徴とする請求項１記載のメディアファイル管理方法。
【請求項６】
別々の伝送モードで受信されたメディアファイルを管理するメディア再生装置であって、
メディアファイルを受信する伝送インターフェイスと、
伝送インターフェイスにカップリングされ、メディアファイルに対応する少なくとも一つのメディア情報記録表を保存するデータベースと、
伝送インターフェイスとデータベースにカップリングされ、いかなる伝送モードで受信されたかにかかわらずメディアファイルからメディア情報を取り出し、更にメディア情報に基づいてメディア情報記録表を変更する制御ユニットとを含むことを特徴とするメディア再生装置。
【請求項７】
前記メディア再生装置は更に、
データベースにカップリングされ、メディア情報記録表に基づきメディアファイルを再生する再生ユニットを含むことを特徴とする請求項６記載のメディア再生装置。
【請求項８】
前記伝送モードはＭＳＣ（大容量記憶制御）モードを含むことを特徴とする請求項６記載のメディア再生装置。
【請求項９】
前記伝送モードはＭＴＰ（メディアトランスファープロトコル）モードを含むことを特徴とする請求項６記載のメディア再生装置。
【請求項１０】
前記メディア再生装置は更に、
データベースにカップリングされ、メディア情報記録表のうち特定のフィールドに基づき対応のメディアファイルを編集して再生リストを作成する再生リスト発生器を含むことを特徴とする請求項６記載のメディア再生装置。
【請求項１１】
前記メディア再生装置は更に、
データベースに保存された複数のファイルを走査し、当該保存された複数のファイルのうち特定のメディアファイルがメディア情報記録表に記入されていないとき、特定メディアファイルのメディア情報を取り出しメディア情報記録表を変更する走査装置を含むことを特徴とする請求項６記載のメディア再生装置。
【発明の詳細な説明】
【技術分野】
【０００１】
この発明はデータアクセス手段に関し、特に別々のモードで伝送されるメディアファイルデータを一括して管理し、メディアファイル管理の効率を向上させるメディアファイル管理方法及びメディア再生装置に関する。
【背景技術】
【０００２】
電気産業の発展に伴い、パーソナル電子製品に関して新製品が次々と開発されている。例えばＩＣレコーダーについて、初期のものは録音と再生のみの機能を有し、現在はＦＭラジオ、ＭＰ３再生ないし語学学習機能まで有するようになり、そのうち最も人気があるのはＭＰ３再生機能であると言える。ＭＰ３を再生する前に、まずアプリケーションでＭＰ３ファイルをパソコンからメディア再生装置（例えばＩＣレコーダー）内蔵のメモリーブロックにダウンロードする必要がある。そのようなアプリケーションは一般的にＭＳＣ（大容量記憶制御）モードまたはＭＴＰ（メディアトランスファープロトコル）モードでファイルをロードする。ファイルをロードすると同時に、当該ファイルのラベルもついでにメディア再生装置にロードされる。ＭＰ３ファイルの場合では、ファイルのラベルには楽曲の曲名、アーティスト名、アルバム名ないしジャンルなどが記載されている。しかし現在のメディア再生装置は、あるモードで作動するときにはその他のモードで保存されたファイルの内容とラベルを識別できない。このように別々のモードでダウンロードされたファイルを同時に管理できないから、使用者は単一モードまたは単一のアプリケーションで楽曲をダウンロードすることを余儀なくされている。
【発明の開示】
【発明が解決しようとする課題】
【０００３】
この発明は前述の問題を解決するため、別々のモードで伝送されるメディアファイルデータを一括して管理するメディアファイル管理方法及びメディア再生装置を提供することを課題とする。
【課題を解決するための手段】
【０００４】
この発明は、別々の伝送モードで受信されたメディアファイルを管理する方法を提供する。該方法は、メディアファイルを受信し、いかなる伝送モードで受信されたかにかかわらず、メディアファイルからメディア情報を取り出し、メディア情報に基づきメディアファイルに対応するメディア情報記録表を変更するステップを含む。
【０００５】
この発明は更に、別々の伝送モードで受信されたメディアファイルを管理するメディア再生装置を提供する。該装置は、メディアファイルを受信する伝送インターフェイスと、伝送インターフェイスにカップリングされ、メディアファイルに対応する少なくとも一つのメディア情報記録表を保存するデータベースと、伝送インターフェイスとデータベースにカップリングされ、いかなる伝送モードで受信されたかにかかわらずメディアファイルからメディア情報を取り出し、更にメディア情報に基づいてメディア情報記録表を変更する制御ユニットとを含む。
【発明の効果】
【０００６】
この発明はすべてのメディアファイルのラベル内容をデータベースとしてまとめ、別々のモードで保存されたメディアファイルを整理し、更に再生リスト発生器で複数の再生リストを作成して使用者に提供する。そうすると、メディア再生装置はいかなるモードでもすべてのメディアファイルを表示・再生することができる。
【発明を実施するための最良の形態】
【０００７】
かかる方法及び装置の特徴を詳述するために、具体的な実施例を挙げ、図を参照して以下に説明する。
【０００８】
図１を参照する。図１はこの発明によるメディア再生装置１００を表す説明図である。図１によれば、メディア再生装置１００は伝送インターフェイス１０２と、メモリーブロック１０４と、データベース１０６と、制御ユニット１０８と、再生リスト発生器１１２と、走査装置１１４と、再生ユニット１１６を含む。メディア再生装置１００でメディアファイルをダウンロードしようとするとき、まずＭＳＣモード、ＭＴＰモードまたはその他のモードを伝送モードとして手動または自動的に選んでから、メディア再生装置１００をパソコン（非表示）に接続する。
【０００９】
この実施例では、メディア再生装置１００をパソコンに接続した後、パソコンに内蔵されたアプリケーション（例えばWindows（登録商標）  media  player）で、パソコンに保存されたメディアファイル及び再生リストを伝送インターフェイス１０２を介してメディアファイル再生装置１００にダウンロードする。制御ユニット１０８は伝送インターフェイス１０２を介して受信されたメディアファイルをメモリーブロック１０４に書き込む。書き込みが終了した後、制御ユニット１０８は所定の伝送モードでメディアファイルのラベルを読み取り、当該ラベルをデータベース１０６における相応のフィールドに書き込み、メディア情報記録表を作成する。前記メディアファイルがＭＰ３形式であれば、ラベルには楽曲の曲名、アーティスト名、アルバム名ないしジャンルなどが記載されている。したがって、データベース１０６もそれに応じて４つのフィールドを設けなければならない。データベース１０６は、メモリーブロック１０４と別のメモリーブロックに設けられている。もっとも、データベース１０６に対応するメモリーブロックとメモリーブロック１０４を同一のメモリーにある別々のブロックに設けるか、または別々のメモリーに設けることは、いずれも可能である。
【００１０】
図２を参照する。図２は図１のデータベース１０６の内部データ構造を表す説明図である。図２によれば、データベース１０６には、データベース１０６でメディアファイルがどれだけ保存されているかを示すメディアファイル記録表を保存するフィールド（「メディア情報数量」と示される）が設けられている。そのほか、データベース１０６には複数のメディアファイルに対応する複数のメディア情報記録表２０２、２０４が保存されており、メディア情報記録表ごとに主キーとされる識別番号と、メディア情報記録表に対応するメディアファイルの保存位置と、メディアファイルのプロパティーリストが含まれている。プロパティーリストごとに、プロパティーがどれだけ保存されているか（「プロパティー数量」と示される）及びプロパティーの内容（前記ラベルの内容）を示す複数のフィールドが含まれている。
【００１１】
図１を再び参照する。再生リスト発生器１１２は前記プロパティーに基づいて複数の再生リストを作成する。例えば同一ジャンルのＭＰ３ファイルを同じ再生リストに入れ、または同一アーティストのＭＰ３ファイルをその他の再生リストに入れる。それを受けて、使用者はお気に入りの再生リストを選んでＭＰ３ファイルを再生することができる。最後に、再生ユニット１１６は選ばれた再生リストに基づきメモリーブロック１０４に保存されたメディアファイルを読み込んで再生する。注意すべきは、この発明による再生リスト発生器１１２は制御ユニット１０８から独立したハードウェア装置またはプログラムモジュール（すなわちソフトウェア）である。再生リスト発生器１１２がプログラムモジュールである場合、制御ユニット１０８はプログラムモジュールを実行することによって複数の再生リストを作成する。のみならず、メディア再生装置１００で電子装置からメディアファイルと再生リスト情報をダウンロードすれば、再生リストの選択肢は更に増えてくる。
【００１２】
実際、アプリケーションを介してでなく、ファイル伝送でメディアファイルをメモリーブロック１０４に直接に書き込むことが可能であるため、この実施例では、走査装置１１４は定期的に（或いは特定の状況において、例えば改めてコンピューターシステムと設定または接続するとき、もしくはメモリーブロック１０４更新を選択したときに）メモリーブロック１０４に保存されたメディアファイルを走査し、メディアファイルに対応するメディア情報がデータベース１０６に保存されているか否かを確認する。走査の結果、メディアファイルに相応するメディア情報がデータベース１０６に保存されていないと検出されれば、走査装置１１４は制御ユニット１０８を駆動して、当該メディアファイルから少なくとも一つのラベルを取り出し、データベース１０６の相応フィールドに書き込んで相応のメディア情報を作成する。注意すべきは、この発明による走査装置１１４は制御ユニット１０８から独立したハードウェア装置またはプログラムモジュール（すなわちソフトウェア）である。走査装置１１４がプログラムモジュールである場合、制御ユニット１０８はプログラムモジュールを実行することによって所望のメディアファイル走査機能を実現する。
【００１３】
注意すべきは、この発明によるメディア再生装置１００はコンピューターのアプリケーションでメディアファイルをダウンロードする以外、ＭＳＣモードでその他小型電子装置（例えばＵＳＢメモリー）に保存されたメディアファイルにアクセスすることもできる。言い換えれば、この発明の実施は前記に限らない。例えば、ＵＳＢメモリーをメディア再生装置１００に接続すれば、メディア再生装置１００はＭＳＣモードでＵＳＢメモリーからメディアファイルを能動的にダウンロードする。ダウンロードを完成した後、走査装置１１４はメモリーブロック１０４に保存されたメディアファイルを走査し、データベース１０６内の相応メディア情報を更新する。
【００１４】
図３を参照する。図３は図１のメディア再生装置１００の動作を表すフローチャートである。この実施例では、メディア再生装置１００を用いた別々の伝送モードで受信されたメディアファイルを管理する方法は下記の通りである。
【００１５】
ステップ３０４：メディア再生装置１００が電子装置に接続しているか否かを判断する。「はい」であればステップ３０６に移り、「いいえ」であればステップ３０４に戻る。
ステップ３０６：メディア再生装置１００の現時使用している伝送モードを判断する。
ステップ３０８：前記伝送モードで電子装置からメディアファイルをメディア再生装置１００にダウンロードする。
ステップ３１０：データベース１０６で各メディアファイルに対応するメディア情報記録表を作成する。
ステップ３１２：データベース１０６に保存されたメディア情報に基づいて少なくとも一つの再生リストを作成した後、ステップ３０４に戻る。
ステップ３１４：メディア再生装置１００におけるすべてのメディアファイルを走査する。
ステップ３１６：メディアファイルごとに相応のメディア情報記録表があるか否かを判断する。「はい」であればステップ３１２に移り、「いいえ」であればステップ３１０に移る。
【００１６】
前記の通り、メディア再生装置１００を電子装置（例えばコンピューターまたは携帯型保存装置）に接続するとき、現に使われている伝送モードを判断しなければならない。当該伝送モードは使用者が選んだものか、システムに予め定められたものか、または電子装置に使用される伝送モードに基づきメディア再生装置１００が能動的に定めたものである。続いて、メディア再生装置１００は電子装置からメディアファイルをダウンロードし、データベース１０６でメディアファイルのメディア情報に基づいて対応のメディア情報記録表を作成し、更に当該メディア情報記録表に基づいて少なくとも一つの再生リストを作成する。メディア再生装置１００の走査装置１１４はイネーブルされると、すべてのメディアファイルを走査し、メディアファイルごとに相応のメディア情報記録表があるか否かを確認する。いずれかメディアファイルに相応のメディア情報記録表がないと検出されれば、走査装置１１４はメディア再生装置１００を駆動し、メディアファイルのメディア情報記録表を作成してデータベース１０６の内容を更新する。なお、メディア再生装置１００は電子装置からメディアファイルと再生リストをダウンロードして使用者に提供する。
【００１７】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１８】
この発明はすべてのメディアファイルのラベル内容をデータベースとしてまとめ、別々のモードで保存されたメディアファイルを整理し、更に再生リスト発生器で複数の再生リストを作成して使用者に提供する。そうすると、メディア再生装置はいかなるモードでもすべてのメディアファイルを表示・再生することができる。
【図面の簡単な説明】
【００１９】
【図１】この発明によるメディア再生装置を表す説明図である。
【図２】図１のデータベースの内部データ構造を表す説明図である。
【図３】図１のメディア再生装置の動作を表すフローチャートである。
【符号の説明】
【００２０】
１００      メディア再生装置
１０２      伝送インターフェイス
１０４      メモリーブロック
１０６      データベース
１０８      制御ユニット
１１２      再生リスト発生器
１１４      走査装置
１１６      再生ユニット
【図１】
2007249155.tif 000003
【図２】
2007249155.tif 000004
【図３】
2007249155.tif 000005